(57)【特許請求の範囲】
【請求項１】
表示部と、
特定の携帯通信装置から送信された電子メールを受信する通信部と、
地図上の位置に対応付けられたランドマークを少なくとも１つ含む補足情報を前記特定の携帯通信装置に対応付けて記憶する記憶部と、
前記電子メールが位置情報を含む場合、受信した前記電子メールに含まれる位置情報を含む範囲の前記地図を前記表示部に表示させる制御部と、
を有し、
前記制御部は、表示される前記地図の範囲に含まれる位置に対応し、且つ当該特定の携帯通信装置に対応付けられた前記ランドマークを前記地図に表示させる携帯通信装置。
【請求項２】
前記地図は、複数の登録候補ランドマーク情報を有し、
前記記憶部は、前記複数の登録候補ランドマーク情報の中から選択された前記登録候補ランドマーク情報を前記補足情報の前記ランドマークとして記憶する請求項１に記載の携帯通信装置。
【請求項３】
表示部と、
特定の携帯通信装置から送信された電子メールを受信し、外部の記憶装置に予め前記特定の携帯通信装置に対応付けて設定された補足情報から地図上の位置に対応付けられたランドマークの情報を少なくとも１つ取得する通信部と、
前記電子メールが位置情報を含む場合、前記位置情報を含む範囲の前記地図を前記表示部に表示させる制御部と、
を有し、
前記制御部は、前記通信部を介して表示される前記地図の範囲に含まれる前記ランドマークの情報を取得し、取得した前記ランドマークを前記地図に表示させる携帯通信装置。
【請求項４】
前記制御部は、前記特定の携帯通信装置の前記位置情報が示す位置と前記ランドマークの位置との相関関係に基づいて、前記位置情報が示す前記地図上に表示させる前記ランドマークを決定する請求項１から３のいずれか１項に記載の携帯通信装置。
【請求項５】
前記制御部は、前記特定の携帯通信装置の位置に最も近い前記ランドマークを前記地図の範囲に含めるランドマークとする請求項１から４のいずれか１項に記載の携帯通信装置。
【請求項６】
前記制御部は、前記特定の携帯通信装置の前記位置情報及び前記地図の範囲に含める前記ランドマークの位置情報に基づいて、前記表示部に表示させる前記地図の範囲及び縮尺を決定する請求項４及び５に記載の携帯通信装置。
【請求項７】
前記制御部は、前記地図の範囲を前記ランドマークが前記特定の携帯通信装置の位置よりも端寄りとなる範囲とする請求項１から６のいずれか１項に記載の携帯通信装置。
【請求項８】
前記制御部は、前記地図の範囲を前記特定の携帯通信装置の前記位置情報を前記表示部の表示画面の中心近傍となる範囲とする請求項１から７のいずれか１項に記載の携帯通信装置。
【請求項９】
請求項１から８のいずれか１項に記載の携帯通信装置と、
自機の位置情報を含む電子メールを前記携帯通信装置に送信する特定の携帯通信装置と、
を有する通信システム。
【請求項１０】
表示部と、通信を行う通信部と、を有する携帯通信装置の通信方法であって、
特定の携帯通信装置から送信された位置情報を含む電子メールを前記通信部により受信するステップと、
受信した前記電子メールに含まれる位置情報を含む地図の範囲を決定し、当該特定の携帯通信装置に予め対応付けて設定された補足情報が含む地図上の位置に対応付けられたランドマークの情報から少なくとも１つの当該決定した範囲に含まれる前記ランドマークの情報を取得するステップと、
取得したランドマークを前記地図に追加して前記表示部に表示させるステップと、
を含む通信方法。
【請求項１１】
表示部と、通信を行う通信部と、を有する携帯通信装置に、
特定の携帯通信装置から受信した前記電子メールに含まれる位置情報を含む地図の範囲を決定し、当該特定の携帯通信装置に予め対応付けて設定された補足情報が含む地図上の位置に対応付けられたランドマークの情報から少なくとも１つの当該決定した範囲に含まれる前記ランドマークの情報を取得するステップと、
取得したランドマークを前記地図に追加して前記表示部に表示させるステップと、
を実行させる通信プログラム。
【発明の詳細な説明】
【技術分野】
【０００１】
本出願は、携帯通信装置、通信ユニット、通信方法及び通信プログラムに関する。
【背景技術】
【０００２】
近年、携帯電話機等の携帯通信装置には、小児、児童等の子供向けの携帯電話機がある。このような子供向けの携帯電話機は、誘拐等の犯罪に巻き込まれることを防ぐ目的で各種のセキュリティー機能（防犯機能）が実装されている。例えば、特許文献１には、セキュリティー機能を実装し、ユーザがストラップを引っ張った場合にセキュリティー機能を実行するように構成した携帯電話機が開示されている。セキュリティー機能としては、例えば、ブザー等の警報音を出力する機能、発光させる機能、所定登録先へメールを送信する機能、所定登録先への通話発信する機能等がある。また、セキュリティー機能としては、所定登録先へ送信するメールに自機の位置情報を添付する機能もある。子供向けの携帯電話機は、所定登録先として、任意の通信装置が登録することができるが、当該子供向けの携帯電話機を持っている対象者の保護者である両親、祖父母の携帯電話機、通信装置等がある。また、子供向けの携帯電話機は、所定登録先を警備会社や警察等とすることもできる。
【先行技術文献】
【特許文献】
【０００３】
【特許文献１】特開２０１１−１５１７５１号公報
【発明の概要】
【発明が解決しようとする課題】
【０００４】
ここで、所定登録先の通信装置は、子供向け携帯電話機でセキュリティー機能が実行さされ、位置情報を含むメールが送信された場合、表示部や音声出力部を用いて、取得した位置情報をユーザである保護者に報知する。所定登録先の通信装置がユーザに位置情報を報知しても、当該位置情報がどの場所なのかユーザが理解しにくい場合がある。
【０００５】
上記のことから、特定の携帯通信装置の位置をより理解しやすくできる携帯通信装置、通信ユニット、通信方法、及び通信プログラムに対する必要性がある。
【課題を解決するための手段】
【０００６】
１つの態様に係る携帯通信装置は、表示部と、特定の携帯通信装置から送信された電子メールを受信する通信部と、地図上の位置に対応付けられたランドマークを少なくとも１つ含む補足情報を記憶する記憶部と、前記電子メールが位置情報を含む場合、受信した前記電子メールに含まれる位置情報を含む範囲の前記地図を前記表示部に表示させる制御部と、を有し、前記制御部は、表示される前記地図の範囲に含まれる位置に対応する前記ランドマークを前記地図に表示させる。
【０００７】
１つの態様に係る携帯通信装置は、表示部と、特定の携帯通信装置から送信された電子メールを受信し、外部の記憶装置に予め設定された補足情報から地図上の位置に対応付けられたランドマークの情報を少なくとも１つ取得する通信部と、前記電子メールが位置情報を含む場合、前記位置情報を含む範囲の前記地図を前記表示部に表示させる制御部と、を有し、前記制御部は、前記通信部を介して表示される前記地図の範囲に含まれる前記ランドマークの情報を取得し、取得した前記ランドマークを前記地図に表示させる。
【０００８】
１つの態様に係る通信ユニットは、上記携帯通信装置と、自機の位置情報を含む電子メールを前記携帯通信装置に送信する特定の携帯通信装置と、を有する。
【０００９】
１つの態様に係る通信方法は、表示部と、通信を行う通信部と、を有する携帯通信装置の通信方法であって、特定の携帯通信装置から送信された位置情報を含む電子メールを前記通信部により受信するステップと、受信した前記電子メールに含まれる位置情報を含む地図の範囲を決定し、予め設定された補足情報が含む地図上の位置に対応付けられたランドマークの情報から少なくとも１つの当該決定した範囲に含まれる前記ランドマークの情報を取得するステップと、取得したランドマークを前記地図に追加して前記表示部に表示させるステップと、を含む。
【００１０】
１つの態様に係る通信プログラムは、表示部と、通信を行う通信部と、を有する携帯通信装置に、受信した前記電子メールに含まれる位置情報を含む地図の範囲を決定し、予め設定された補足情報が含む地図上の位置に対応付けられたランドマークの情報から少なくとも１つの当該決定した範囲に含まれる前記ランドマークの情報を取得するステップと、取得したランドマークを前記地図に追加して前記表示部に表示させるステップと、を実行させる。
【図面の簡単な説明】
【００１１】
【図１】図１は、本発明の携帯通信装置を有する通信システムの概略構成を示す説明図である。
【図２】図２は、実施形態に係る第１携帯電話機の外観上の概略構成を示す正面図である。
【図３】図３は、図２に示す第１携帯電話機の外観上の概略構成を示す側面図である。
【図４】図４は、図２、図３に示す第１携帯電話機の機能構成を示すブロック図である。
【図５】図５は、実施形態に係る第２携帯電話機の外観上の概略構成を示す正面図である。
【図６】図６は、図５に示す第２携帯電話機の機能構成を示すブロック図である。
【図７】図７は、第１携帯電話機が記憶する補足情報の一例を示す図である。
【図８】図８は、第１携帯電話機で実行される補足情報のランドマークの登録に関する処理の一例を示すフローチャートである。
【図９】図９は、第１携帯電話機と第２携帯電話機との間で実行される処理の一例を示す図である。
【図１０】図１０は、第１携帯電話機と第２携帯電話機との間で実行される処理の一例を示すシーケンス図である。
【図１１】図１１は、第１携帯電話機の表示部に表示される画面の一例を示す図である。
【図１２】図１２は、第２携帯電話機で実行される処理の一例を示すフローチャートである。
【図１３】図１３は、第１携帯電話機で実行される処理の一例を示すフローチャートである。
【図１４】図１４は、第１携帯電話機の表示部に表示される表示画面の一例を示す図である。
【図１５】図１５は、第１携帯電話機で実行される処理の一例を示すフローチャートである。
【発明を実施するための形態】
【００１２】
本出願に係る携帯通信装置、通信ユニット、通信方法、及び通信プログラムを実施するための実施形態を、図面を参照しつつ詳細に説明する。以下の説明により、本出願に係る携帯通信装置、通信ユニット、通信方法、及び通信プログラムが限定されるものではない。以下の説明における構成要素には、当業者が容易に想定できるもの、実質的に同一のもの、いわゆる均等の範囲のものが含まれる。以下においては、携帯通信装置の一例として携帯電話機を取り上げるが、本発明の適用対象は携帯電話機に限定されるものではない。携帯通信装置として、例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等を用いても本発明は適用できる。
【００１３】
図１は、本発明の携帯通信装置を有する本発明の通信システムの概略構成を示す説明図である。図１に示す通信システム１は、ＧＰＳ衛星２と、通信網３と、複数の基地局４と、サーバ６と、複数の第１携帯電話機１０、１０ａ、１０ｂと第２携帯電話機５０、５０ａ、５０ｂで構成されている。
【００１４】
ＧＰＳ衛星２は、ＧＰＳ（Global  Positioning  System、全地球測位システム）の通信機能を備える通信装置（通信端末、通信機器）に、該通信装置の位置情報を送信（提供）する衛星である。なお、図１でＧＰＳ衛星２を３つのみ示したが、ＧＰＳ衛星２は、通信装置の位置を特定するために必要な数が配置されている。複数のＧＰＳ装置２は、通信装置の位置情報の特定に必要な情報（ＧＰＳ衛星２の位置情報や時間情報）を出力する。通信装置は、ＧＰＳ衛星２から出力される情報を取得し、解析することで、自身の位置情報を取得する。例えば、通信装置は、３つまたは４つのＧＰＳ衛星２から出力されるＧＰＳ信号の差分に基づいて、自身の位置を特定する。
【００１５】
通信網（コアネットワーク）３は、交換機や、有線の通信回線で構成されている。通信網３は、有線、無線の通信回線を用いて、基地局４を介して、第１携帯電話機１０、１０ａ、１０ｂまたは第２携帯電話機５０、５０ａ、５０ｂと、他の通信装置（他の携帯通信装置、固定型の通信装置、サーバ６）との間での情報通信を行う。通信網３は、通信装置間で通信を行うことができれば、種々の通信方法を用いることができる。例えば、衛星回線を利用して通信を行ってもよい。第１携帯電話機１０、１０ａ、１０ｂまたは第２携帯電話機５０、５０ａ、５０ｂと、は、自機以外の第１携帯電話機１０、１０ａ、１０ｂまたは第２携帯電話機５０、５０ａ、５０ｂを他の通信装置とすることもできる。
【００１６】
基地局４は、無線により第１携帯電話機１０、１０ａ、１０ｂまたは第２携帯電話機５０、５０ａ、５０ｂと通信信号の送受信を行う通信機器である。通信信号とは、通話や、メールの送受信や、インターネット通信を行うために、送受信するデータの信号である。また、基地局４は、通信網３と接続しており、通信網３と接続している通信端末と通信（通信信号を送受信）することができる。このように、基地局４は、通信網３と接続しており、第１携帯電話機１０、１０ａ、１０ｂまたは第２携帯電話機５０、５０ａ、５０ｂと無線で通信を行うことで、通信網３を利用した第１携帯電話機１０、１０ａ、１０ｂまたは第２携帯電話機５０、５０ａ、５０ｂの通信を中継する。なお、基地局４は、中継局を介して第１携帯電話機１０、１０ａ、１０ｂまたは第２携帯電話機５０、５０ａ、５０ｂと通信を行うようにしてもよい。
【００１７】
サーバ６は、呼び出し音や着信音の情報、呼び出し音及び着信音の制御条件、これらの制御プログラム、各通信装置を特定する情報（電話番号、アドレス）等種々のデータを有する。サーバ６は、通信網３及び基地局４を介して第１携帯電話機１０、１０ａ、１０ｂまたは第２携帯電話機５０、５０ａ、５０ｂと通信し、種々の情報を供給する。また、サーバ６は、通信装置から情報を受信しその情報に基づいて他の通信装置に情報を通信する、情報の中継も行う。
【００１８】
第１携帯電話機１０、１０ａ、１０ｂは、基地局４を介して通信網３との間で無線通信を行う通信端末である。第１携帯電話機１０は、音声信号等の信号を通信網３に送信し、通信網３から音声信号等の信号を受信する。また、それぞれの携帯通信装置には、固有の電話番号、端末番号が割り当てられ、記憶されている。第１携帯電話機１０、１０ａ、１０ｂの構成については、後ほど説明する。
【００１９】
第２携帯電話機５０、５０ａ、５０ｂは、基地局４を介して通信網３との間で無線通信を行う通信端末である。第２携帯電話機５０は、音声信号等の信号を通信網３に送信し、通信網３から音声信号等の信号を受信する。それぞれの携帯通信装置には、固有の電話番号、端末番号が割り当てられ、記憶されている。なお、第２携帯電話機５０、５０ａ、５０ｂは、通信網３を用いで実行する通信が、第１携帯電話機１０、１０ａ、１０ｂよりも制限されている。第２携帯電話機５０、５０ａ、５０ｂの構成については、後ほど説明する。なお、以下では、第１携帯電話機１０、１０ａ、１０ｂを特に区別しない場合、第１携帯電話機１０として説明し、第２携帯電話機５０、５０ａ、５０ｂを特に区別しない場合、第２携帯電話機５０として説明する。
【００２０】
通信システム１は、以上のような構成である。通信システム１は、ユーザの操作により第１携帯電話機１０に発信操作が入力されると、第１携帯電話機１０から通信網３に対して、発信信号と通信先の電話番号の情報が送られる。通信網３は、入力された通信先の電話番号が割り当てられている第１携帯電話機１０を検索し、通信先の第１携帯電話機１０に着信を通知する。その後、通信先の第１携帯電話機１０で通話開始の操作が入力されたら、通信網３を介して通信を行う。つまり、通信システム１は、通信網３を介して情報の送受信を行うことで、第１携帯電話機１０間で通信を行う。
【００２１】
通信システム１は、第１携帯電話機１０間の通信と同様に第１携帯電話機１０と第２携帯電話機５０との間での通信を行うことができる。通信システム１は、第１携帯電話機１０と同様に、ユーザの操作により第２携帯電話機５０に発信操作が入力されると、基地局４及び通信網３で情報の送受信を行い、通信先の通信装置との間で通信を行う。なお、通信システム１は、通信端末間での通信は、音声通信に限定されず、データの送受信も行う。第１携帯電話機１０及び第２携帯電話機５０は、ＧＰＳ衛星２から出力されたＧＰＳ信号を処理することで位置情報を取得することもできる。
【００２２】
本実施形態の通信システム１は、第１携帯電話機１０と第２携帯電話機５０とが対応付けられている。通信システム１は、対応付けられた第１携帯電話機１０と第２携帯電話機５０との間で、他の通信装置とは異なる処理が可能となる。特定の第１携帯電話機１０は、特定の第２携帯電話機５０の動作を制御することができる。例えば、特定の第１携帯電話機１０は、特定の第２携帯電話機５０の着信可能な電話番号の設定、発信可能な電話番号の設定及び音声の出力方式の設定を行うことができる。特定の第１携帯電話機１０は、特定の第２携帯電話機５０の動作も制御することができる。特定の第２携帯電話機５０は、特定の第１携帯電話機１０からの指示に対応する処理を実行する。通信システム１は、基本的に特定の第１携帯電話機１０を保護者が所持し、特定の第２携帯電話機５０を対象者、つまり保護者によって保護される者が所持する。保護者によって保護される者は、主に幼児、小学生等の小児、児童であるが、高齢者、ペット等としてもよい。通信システム１は、第１携帯電話機１０と第２携帯電話機５０とが１対１である必要はなく、１台の第１携帯電話機１０が複数台の特定の第２携帯電話機５０と対応付けられていてもよく、１台の第２携帯電話機５０が複数台の特定の第１携帯電話機１０と対応付けられていてもよい。
【００２３】
通信システム１は、サーバ６、第１携帯電話機１０及び第２携帯電話機５０の数は、図１に示す数に限定されない。通信システム１は、多数の、サーバ６と、第１携帯電話機１０と第２携帯電話機５０と、を備えることができる。図１では、通信システム１の通信網３で通信を行う機器、つまり通信網３で通信可能な機器として、第１携帯電話機１０、１０ａ、１０ｂ、第２携帯電話機５０、５０ａ、５０ｂ及びサーバ６のみを示したが、これには限定されない。通信システム１は、通信網３を介して、公衆通信網で通信可能な種々の通信装置間で通信を実行できる。例えば、ＰＣ（Personal  Computer）等の情報通信機能を備える固定型の情報端末や、有線の電話回線を介して通信網３と接続された電話装置（固定電話）との間でも通信を実行できる。
【００２４】
次に、図２から図４を用いて第１携帯電話機１０について説明する。図２は、実施形態に係る第１携帯電話機の外観上の概略構成を示す正面図である。図３は、図２に示す第１携帯電話機の外観上の概略構成を示す側面図である。図２及び図３に示すように、第１携帯電話機１０は、折り畳み式の筐体を有する。具体的には、第１携帯電話機１０の筐体１０Ｃは、図２に示すように、第１筐体１０ＣＡと第２筐体１０ＣＢとで開閉可能に構成される。第１携帯電話機１０の筐体は、このような構造に限定されるものではない。例えば、第１携帯電話機１０の筐体は、第１携帯電話機１０を構成する２つの筐体を重ね合わせた状態から一方の筐体と他方の筐体とを互いにスライドできるようにしたスライド式の筐体であってもよい。あるいは、第１携帯電話機１０の筐体は、第１携帯電話機１０を構成する２つの筐体の重ね合わせ方向に沿う軸線を中心として一方の筐体を回転させるようにしたもの、２軸ヒンジを介して両方の筐体を連結したものでもよい。あるいは、第１携帯電話機１０は、図２及び図３に示すように、複数の筐体を連結したものには限定されず、スマートフォンのように、筐体が単一の構造であってもよい。
【００２５】
図２に示すように、第１筐体１０ＣＡと第２筐体１０ＣＢとは、連結部であるヒンジ機構１８で連結されている。ヒンジ機構１８で第１筐体１０ＣＡと第２筐体１０ＣＢとを連結することにより、第１筐体１０ＣＡ及び第２筐体１０ＣＢは、ヒンジ機構１８を中心としてともに回動して、図３の矢印Ｒで示す方向に回動できるように構成される。すなわち、第１筐体１０ＣＡ及び第２筐体１０ＣＢは、互いに遠ざかる方向、又は互いに接近する方向に回動できる。図３の点線に示すように、第１携帯電話機１０が折り畳まれた状態にある場合に、第１筐体１０ＣＡと第２筐体１０ＣＢとが互いに遠ざかる方向に回動すると、図３の実線に示すように、第１携帯電話機１０が開いた状態になる。図３の実線に示すように、第１携帯電話機１０が開いた状態にある場合に、第１筐体１０ＣＡと第２筐体１０ＣＢとが互いに接近する方向に回動すると、図３の点線で示すように、第１携帯電話機１０が折り畳まれた状態となる。
【００２６】
第１筐体１０ＣＡには、表示部として、図２に示すディスプレイ１２が設けられる。ディスプレイ１２は、第１携帯電話機１０が受信を待機している状態のときに待ち受け画像を表示したり、第１携帯電話機１０の操作を補助するために用いられるメニュー画像を表示したりする。また、第１筐体１０ＣＡには、第１携帯電話機１０の通話時に音声を出力する出力手段であるレシーバ２３が設けられる。
【００２７】
第２筐体１０ＣＢには、操作キー２４Ａと、方向及び決定キー２４Ｂとが設けられる。操作キー２４Ａは、通話相手の電話番号、又はメール作成時等の文字の入力に用いられる。方向及び決定キー２４Ｂには、ディスプレイ１２に表示されるメニューの選択及び決定、あるいは表示画面のスクロール等を容易に実行するために用いられる。操作キー２４Ａと方向及び決定キー２４Ｂとは、第１携帯電話機１０の操作部２４を構成する。また、第２筐体１０ＣＢには、通話時の音声、音声検索の利用時にユーザが発する音声、ノイズキャンセル処理時に利用する音など、種々の音を取得するマイク１１が設けられる。操作部２４は、図３に示す、第２筐体１０ＣＢの操作面１０ＰＣに設けられる。操作面１０ＰＣとは反対側の面が、第１携帯電話機１０の背面１０ＰＢである。なお、操作部２４は、上述のキー構成に代えて、表示部上に配置されたタッチセンサであってもよい。
【００２８】
図４は、図２、図３に示す第１携帯電話機１０の機能構成を示すブロック図である。図４に示すように、第１携帯電話機１０は、マイク２１と、スピーカ２２と、レシーバ２３と、操作部２４と、加速度センサ２５と、表示部２６と、カメラ２７と、通信部２８と、音声処理部３０と、ＧＰＳ通信部３２と、記憶部３４と、制御部４０とを有する。
【００２９】
マイク２１は、例えば、通話時の音声などの音声信号を入力する。スピーカ２２は、例えば、第１携帯電話機１０の筐体１０Ｃ内に配置されており、着信音やメールの送信音等を出力する。レシーバ２３は、例えば、通話時の音声などを出力する。
【００３０】
操作部２４は、上述したように、操作キー２４Ａと、方向及び決定キー２４Ｂとを有し、図３に示す第２筐体１０ＣＢの操作面１０ＰＣに設けられる。操作キー２４Ａには、例えば、電源キー、通話キー、数字キー、文字キー、方向キー、決定キー、発信キー等の機能が割り当てられ、方向及び決定キー２４Ｂには、例えば、方向キー、決定キーの機能が割り当てられる。そして、これらのキーがユーザの操作により入力されると、操作部２４は、その操作内容に対応する信号を発生させる。発生した信号は、ユーザの指示として制御部４０へ入力される。
【００３１】
加速度センサ２５は、第１携帯電話機１０に印加される加速度の方向及び大きさを検出する。加速度センサ２５の検出結果は、例えば、第１携帯電話機１０の方位が分かれば、第１携帯電話機１０の姿勢の変化、あるいは第１携帯電話機１０の移動の有無を判定する場合などに用いることもできる。
【００３２】
表示部２６は、上述したように、ディスプレイ１２を有し、制御部４０から供給される映像データに応じた映像や画像データに応じた画像を表示パネルに表示させる。ディスプレイ１２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部２６は、ディスプレイ１２に加え、サブディスプレイを有していてもよい。カメラ２７は、撮影した画像を取得する。
【００３３】
通信部２８は、アンテナ２８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する第２携帯電話機５０との間で電話通信及び情報通信を行う。
【００３４】
音声処理部３０は、マイク２１に入力される音声信号、スピーカ２２及びレシーバ２３から出力される音声信号の処理を実行する。すなわち、音声処理部３０は、マイク２１から入力される音声を増幅し、アナログデジタル変換を実行した後、さらに符号化等の信号処理を施し、デジタルの音声データに変換してから制御部４０へ出力する。また、制御部４０から送られる音声データの復号化、デジタルアナログ変換、増幅等の処理を施し、アナログの音声信号に変換してからスピーカ２２及びレシーバ２３へ出力する。
【００３５】
ＧＰＳ通信部３２は、ＧＰＳ衛星２から出力されるＧＰＳ信号を受信する通信部である。また、ＧＰＳ通信部３２は、出力されるＧＰＳ信号を受信し解析することで第１携帯電話機１０の緯度経度を算出し、算出した緯度経度の情報を制御部４０に送る。具体的には、ＧＰＳ通信部３２は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部３２は、ＧＰＳ衛星２からの距離と各ＧＰＳ衛星２の位置情報を解析することで、自身の位置を算出する。
【００３６】
記憶部３４は、オペレーティングシステムプログラム及びアプリケーションプログラム等、制御部４０での処理に利用される各種プログラム及び各種データを記憶する。例えば、記憶部３４には、表示部２６の動作を制御するアプリケーションプログラムを作動させるタスク、通信部２８の動作を制御するアプリケーションプログラムを作動させるタスク及び音声処理部３０の動作を制御するアプリケーションプログラムを作動させるタスクなどが記憶されている。また、記憶部３４には、これらのタスク以外にも、例えば、通信、ダウンロードされた音声データ、あるいは記憶部３４に対する制御に制御部４０が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００３７】
本実施形態において、記憶部３４は、少なくとも、他の携帯電話機との間で通話を含む通信を行うためのプログラム、特定の第２携帯電話機の動作を制御し、かつ、特定の第２携帯電話機から送信された電子メールを処理する制御プログラム３４ａ、ＧＰＳ通信部３２の動作を制御し、位置情報を取得するための位置取得プログラム３４ｂ等が記憶される。記憶部３４は、制御プログラム３４ａで処理する対象の第２携帯電話機５０を特定するための条件及び第２携帯電話機５０から受信した電子メールを処理する条件を記憶する条件データ３４ｃが記憶される。記憶部４３は、特定の第２携帯電話機５０に関する地図上ランドマークの情報を少なくとも１つ有する補足情報３４ｄが記憶される。補足情報３４ｄの構成については、後ほど説明する。
【００３８】
制御部４０は、記憶部３４に記憶されている各種プログラムに基づいて処理を実行する。制御部４０は、例えば、マイクロプロセッサユニット（ＭＰＵ：Ｍｉｃｒｏ  Ｐｒｏｃｅｓｓｉｎｇ  Ｕｎｉｔ）で構成され、記憶部３４に記憶されるプログラムから命令コードを順次読み込んで、読み込んだ命令コードで指示された手順に従って第１携帯電話機１０の各種の処理を実行する。すなわち、制御部４０は、第１携帯電話機１０の各種の処理が、操作部２４の操作、及び第１携帯電話機１０の記憶部３４に記憶されるプログラムに応じて適切な手順で実行されるように、表示部２６、通信部２８及び音声処理部３０等の動作を制御する。
【００３９】
制御部４０は、例えば、制御プログラム３４ａを実行することにより、特定の第２携帯電話機５０に当該特定の第２携帯電話機５０の位置情報を返信する指示を含む電子メールを送信する制御を実行することができる。制御部４０は、例えば、制御プログラム３４ａを実行することにより、特定の第２携帯電話機５０から送信された電子メールを処理する制御を実行することができる。具体的には、制御部４０は、特定の第２携帯電話機５０から送信された電子メールから必要な情報を抽出して、特定の第２携帯電話機５０の位置を示す地図を表示部２６に表示させる制御を実行することができる。制御部４０は、例えば、位置取得プログラム３４ｂを実行することにより、ＧＰＳ通信部３２の動作を制御し、自機の位置情報を取得する制御を実行することができる。
【００４０】
次に、第２携帯電話機５０について説明する。図５は、実施形態に係る第２携帯電話機５０の外観上の概略構成を示す正面図である。図５に示すように、第２携帯電話機５０は、筐体の上面にストラップ５１が設けられている。第２携帯電話機５０は、筐体の正面に各種画像を表示するディスプレイ５２と、操作入力に用いられる操作部５３と、音声を出力するレシーバ５６が設けられている。
【００４１】
図６は、図５に示す第２携帯電話機５０の機能構成を示すブロック図である。図６に示すように、第２携帯電話機５０は、操作部５３と、マイク５４と、スピーカ５５と、レシーバ５６と、表示部５７と、通信部５８と、音声処理部６０と、スイッチ部材６１と、スイッチ位置検出部６２と、ＧＰＳ通信部６４と、記憶部６８と、制御部７０と、を有する。
【００４２】
操作部５３は、例えば、数字キー、方向キー、決定キー、発信キー等の機能が割り当てられた複数のキーを有する。そして、これらのキーがユーザの操作により入力されると、操作部５３は、その操作内容に対応する信号を発生させる。発生した信号は、ユーザの指示として制御部７０へ入力される。
【００４３】
マイク５４は、例えば、通話時の音声などの音声信号を入力する。スピーカ５５は、例えば、第１携帯電話機１０の筐体１０Ｃ内に配置されており、着信音やメールの送信音等を出力する。レシーバ５６は、例えば、通話時の音声などを出力する。
【００４４】
表示部５７は、ディスプレイ５２を有し、制御部７０から供給される映像データに応じた映像や画像データに応じた画像を表示パネルに表示させる。
【００４５】
通信部５８は、アンテナ５８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、上述した第１携帯電話機１０との間で電話通信及び情報通信を行う。
【００４６】
音声処理部６０は、マイク５４に入力される音声信号、スピーカ５５及びレシーバ５６から出力される音声信号の処理を実行する。
【００４７】
スイッチ部材６１は、筐体の上側に配置されており、ストラップ５１と接続されている。スイッチ部材６１は、ストラップ５１が筐体に対して引っ張られることで筐体に対して移動可能な構造である。ユーザは、ストラップ５１を手掛かりとして、スイッチ部材６１を操作する。スイッチ部材６１は、ストラップ５１に引っ張られることで、筐体の上面に対して突出するように移動する。スイッチ部材６１は、初期位置とストラップに引っ張られて初期位置から移動した突出位置とへ切替移動が可能な構成となっている。
【００４８】
スイッチ位置検出部６２は、対象者の操作状態、具体的には、スイッチ部材６１の位置を検出している。スイッチ位置検出部６２は、スイッチ部材６１が初期位置にある場合、操作状態が第１操作状態であるとして、第１操作信号を制御部７０へ向けて出力する。また、スイッチ位置検出部６２は、スイッチ部材６１が突出位置にある場合、操作状態が第２操作状態であるとして、第２操作信号を制御部７０へ向けて出力する。制御部７０は、スイッチ位置検出部６２から第１操作信号が出力されているか、第２操作信号が出力されているかでスイッチ部材６１の位置を特定する。なお、スイッチ位置検出部６２は、スイッチ位置が初期位置にある場合、操作信号を出力せず、スイッチ部材６１が突出位置にある場合のみ操作信号を出力するようにしてもよい。
【００４９】
ＧＰＳ通信部６４は、ＧＰＳ衛星２から出力されるＧＰＳ信号を受信する通信部である。また、ＧＰＳ通信部６４は、出力されるＧＰＳ信号を受信し解析することで第２携帯電話機５０の緯度経度を算出し、算出した緯度経度の情報を制御部７０に送る。具体的には、ＧＰＳ通信部６４は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部６４は、ＧＰＳ衛星２からの距離と各ＧＰＳ衛星２の位置情報を解析することで、自身の位置を算出する。
【００５０】
記憶部６８は、制御部７０での処理に利用される各種プログラム及び各種データを記憶する。本実施形態において、記憶部６８には、少なくとも、第１携帯電話機１０から送信された電子メールに基づいて実行する処理を決定し動作を制御するプログラム、ユーザの操作に基づいて通信を制御するプログラム及びＧＰＳ通信部６４を用いて位置の検出を実行するプログラムが記憶される。
【００５１】
制御部７０は、記憶部６８に記憶されている各種プログラムに基づいて処理を実行する。制御部４０は、例えば、マイクロプロセッサユニットで構成され、記憶部６８に記憶されるプログラムから命令コードを順次読み込んで、読み込んだ命令コードで指示された手順に従って第２携帯電話機５０の各種の処理を実行する。
【００５２】
具体的には、制御部７０は、ユーザがストラップ５１を引っ張り、スイッチ部材６１が突出位置に移動したことをスイッチ位置検出部６２で検出した場合、スピーカ５５から防犯用のブザー音を出力させ、防犯機能が作動したことを示す電子メールを第１携帯電話機に送信する。制御部７０は、通信部５８を介して、第１携帯電話機１０から位置情報の通知の返信要求を受信すると、位置測位を実行し、測位した位置情報を通信部５８により第１携帯電話機１０に返信する。
【００５３】
以上のように第２携帯電話機５０は、防犯機能が作動した場合、または、第１携帯電話機１０から返信の要求があった場合、位置情報を検出し、検出した位置情報を特定の第１携帯電話機１０に送る。第２携帯電話機５０は、第１携帯電話機１０により設定された条件を満たす場合、位置情報を検出し、検出した位置情報を特定の第１携帯電話機１０に送るようにしてもよい。設定された条件としては、例えば、周期または時間帯等の時間の条件や、設定された範囲の外に出る等の位置の条件がある。
【００５４】
以下、図７を用いて、通信システム１の第１携帯電話機１０の補足情報３４ｄの一例について説明する。図７は、第１携帯電話機が記憶する補足情報の一例を示す図である。第１携帯電話機１０は、特定の第２携帯電話機５０に対応付けられた補足情報３４ｄを記憶部３４に記憶する。補足情報３４ｄは、対応付けた特定の第２携帯電話機５０の位置の把握を地図上で支援する情報である。補足情報３４ｄは、少なくとも１つのランドマークの情報を有する。ここでランドマークとは、地図上の目印となる場所である。ランドマークとしては、第２携帯電話機５０を携帯するユーザが出向く場所、通る場所等がある。補足情報３４ｄは、第１携帯電話機１０を携帯するユーザが予め登録した情報である。ここで、補足情報３４ｄに含まれるランドマークは、第１携帯電話機１０を携帯するユーザが把握できる場所であることが好ましい。
【００５５】
補足情報３４ｄは、図７に示すように、複数のランドマークの情報を含んでいる。図７は、複数のランドマークの情報をリストで示している。図７に示すリストは１つの行が１つのランドマークの情報となる。補足情報３４ｄのランドマークは、登録ランドマーク名称と登録位置と画像（アイコン）とを有する。登録ランドマーク名称は、登録しているランドマーク、つまりその項目のランドマークの名称である。登録位置は、登録しているランドマークの緯度経度を示す位置データである。画像（アイコン）は、登録しているランドマークを地図上に表示する際の画像データである。画像データとしては、記号、建物を模倣した画像等を用いることができる。なお、画像（アイコン）の項目には、画像データを記憶しているアドレスを記憶させてもよい。
【００５６】
図７に示す補足情報３４ｄは、第１ランドマークとして、「○○小学校」、位置Ｐ１、第１アイコンが記憶され、第２ランドマークとして、「××学習塾」、位置Ｐ２、第２アイコンが記憶され、第３ランドマークとして、「Ａ君の家」、位置Ｐ３、第３アイコンが記憶され、第４ランドマークとして、「△コンビニエンスストア」、位置Ｐ４、第４アイコンが記憶されている。
【００５７】
次に、図８を用いて、第１携帯電話機１０で実行する補足情報３４ｄの登録処理の例について説明する。図８は、第１携帯電話機で実行される補足情報の登録に関する処理の一例を示すフローチャートである。図８に示す処理は、第１携帯電話機１０の記憶部３４に記載されたプログラムを処理して各動作を実行することで、実現することができる。
【００５８】
制御部４０は、ステップＳ１０として、登録位置を取得する。例えば、制御部４０は、ユーザが指定した範囲の地図を表示部２６に表示し、表示した地図上で選択された位置を登録位置として取得する。他の例としては、制御部４０は、表示部２６に表示した入力画面等からユーザに住所を入力させ、入力された住所に対応した緯度経度を示す位置を登録位置として取得する。
【００５９】
制御部４０は、ステップＳ１０で登録位置を取得したら、ステップＳ１２として、登録ランドマーク名称を取得する。例えば、制御部４０は、入力画面を表示部２６に表示し、入力画面に対してユーザが入力した名称を登録位置に対応した登録ランドマーク名称として取得する。制御部４０は、地図データを取得し、登録位置に対して名称が対応付けられている場合、登録ランドマーク名称の候補として、地図データに登録されている名称を表示させてもよい。制御部４０は、ステップＳ１２で登録ランドマーク名称を取得したら、ステップＳ１４として、画像を取得する。例えば、制御部４０は、画像の候補を複数表示させた画面を表示部２６に表示し、ユーザが選択した画像を登録位置に対応した画像（アイコン）として取得する。制御部４０は、ステップＳ１４で画像を取得したら、ステップＳ１６として、取得した登録ランドマーク名称、登録位置及び画像を１つのランドマークとして対応付けて補足情報３４ｄに記憶する。
【００６０】
以上の処理により、ユーザは地図が有するランドマークとは異なるランドマークを補足情報３４ｄに登録することができる。これにより、第１携帯電話機器１０のユーザは、第２携帯電話機５０を携帯するユーザが出向く場所、通る場所等であり、かつ第１携帯電話機器１０のユーザが識別することができる場所を、ランドマークとして補足情報３４ａに記憶させることができる。
【００６１】
以下、図９から図１３を用いて、通信システム１の動作、特に対応付けられた特定の第１携帯電話機１０と特定の第２携帯電話機５０とで実行される処理動作について説明する。図９及び図１０を用いて、第１携帯電話機１０と第２携帯電話機５０との間で実行される処理の一例を説明する。図９は、第１携帯電話機と第２携帯電話機との間で実行される処理の一例を示す図である。図１０は、第１携帯電話機と第２携帯電話機との間で実行される処理の一例を示すシーケンス図ある。図９は、通信システム１のうち、１つの第１携帯電話機１０と１つの第２携帯電話機５０の通信ユニット１００のみを示している。第１携帯電話機１０と第２携帯電話機５０とは、予め対応付けられており特定の処理を実行可能な設定となっている。通信ユニット１００は、第１携帯電話機１０が親端末となり、第２携帯電話機５０が子端末となる。図９に示す通信ユニット１００、１００ａは、通信ユニット１００と同じ第１携帯電話機１０と第２携帯電話機５０とで構成され、かつ時間が異なる状態を示している。図９は、時間が経過することで、通信ユニット１００の状態から通信ユニット１００ａの状態に遷移する。図１０は、図９に示す処理をシーケンス図で示している。
【００６２】
図９及び図１０に示すように、通信ユニット１００は、ステップＳ１として、第１携帯電話機１０から第２携帯電話機５０に現在位置要求コマンドを出力し、第１携帯電話機１０から出力された現在位置要求コマンドを第２携帯電話機５０が受信する。つまり、第１携帯電話機１０は、ステップＳ１として第２携帯電話機５０の位置情報要求を出力し、当該位置情報要求を第２携帯電話機５０が受信する。第１携帯電話機１０は、電子メールに位置情報要求を示すコマンドを含めることで、当該コマンドを第２携帯電話機５０に送信することができる。なお、コマンドと実行する処理との関係は、第１携帯電話機１０及び第２携帯電話機５０の両方に予め記憶されている。
【００６３】
第２携帯電話機５０は、ステップＳ１で位置情報要求を受信したら、通信ユニット１００に示すようにステップＳ２として、第２携帯電話機５０、つまり自棄の位置情報を取得する。第２携帯電話機５０は、ＧＰＳ通信部６４によりＧＰＳ信号を取得し、取得したＧＰＳ信号を解析して自機の現在の位置の情報を取得する。通信ユニット１００は、ステップＳ２の処理を実行したら、通信ユニット１００ａの状態に移行する。
【００６４】
通信ユニット１００ａは、ステップＳ３として、第２携帯電話機５０から第１携帯電話機１０に第２携帯電話機５０の位置情報を返信する。つまり、第２携帯電話機５０は、ステップＳ２で取得した位置情報を第１携帯電話機５０に送信する。本実施形態の第２携帯電話機５０は、位置情報を含む電子メールを第１携帯電話機５０に送る。第１携帯電話機１０は、第２携帯電話機５０から送信された第２携帯電話機５０の位置情報を受信する。本実施形態の第１携帯電話機１０は、第２携帯電話機５０から送信された電子メールを受信することで、第２携帯電話機の位置情報を受信する。通信システム１は、通信ユニット１００、１００ａに示すように、ステップＳ１からステップＳ３の処理を実行し、第１携帯電話機１０に第２携帯電話機５０の位置情報を取得させる。
【００６５】
次に、図１１を用いて、第２携帯電話機５０の位置情報を取得した第１携帯電話機１０で実行する処理について説明する。図１１は、第１携帯電話機の表示部に表示される画面の一例を示す図である。第１携帯電話機１０は、第２携帯電話機５０の位置情報を取得した場合、図１１に示すように、第２携帯電話機５０の位置と１つのランドマークを含む地図画像１１０をディスプレイ１２に表示させる。地図画像１１０は、第２携帯電話機５０の位置と１つのランドマークの位置の両方を含む範囲の地図である。地図画像１１０は、マーク１１２とマーク１１４とを含む。マーク１１２は、第２携帯電話機５０の位置を示している。図１１中の破線で囲んだマーク１１４は、１つのランドマークの位置に、当該ランドマークに記憶されている登録ランドマーク名称と画像を表示させている。地図１１０に表示されるマーク１１４に対応するランドマークは、補足情報３４ｄに記憶されているランドマークのうち、第２携帯電話機５０の位置に最も近いランドマークである。
【００６６】
通信システム１及び第１携帯電話機１０は、第２携帯電話機５０の位置情報を取得した場合、第２携帯電話機５０の位置情報に対応したランドマークを記憶部３４の補足情報３４ｄから特定し、図１１に示すように第２携帯電話機５０とランドマークの両方の位置を含む地図を表示させる。これにより、通信システム１及び第１携帯電話機１０は、第１携帯電話機１０のユーザに第２携帯電話機５０の位置とランドマークの相対関係をわかりやすく表示させることができる。これにより、第１携帯電話機１０は、ユーザである保護者に対して、第２携帯電話機５０のユーザである保護の対象者の位置と予め登録したランドマークとの相対関係をわかりやすい状態で示すことができる。ユーザである保護者は、登録したランドマークの位置を把握することで、第２携帯電話機５０の位置を把握することができる。つまり、保護者は地図を一目しただけで、特定の第２携帯電話機５０の位置をより理解しやすくできる。
【００６７】
以上の通信システム１は、第１携帯電話機１０が第２携帯電話機５０から取得した位置情報と、取得した位置情報に対応する複数のランドマークとを１つの地図上に表示してもよい。
【００６８】
次に、図１２を用いて、第２携帯電話機５０で実行する処理について説明する。図１２は、第２携帯電話機で実行される処理の一例を示すフローチャートである。図１２に示す処理は、第２携帯電話機５０の制御部７０が記憶部６８に記憶されたプログラムを処理して各動作を実行することで実現することができる。
【００６９】
制御部７０は、ステップＳ３０として位置情報要求を受信すると、ステップＳ３２として、ＧＰＳ信号を受信し、位置を特定する。つまり、制御部７０は、ＧＰＳ通信部６４を用いてＧＰＳ信号を受信し、受信したＧＰＳ信号を処理して第２携帯電話機５０の位置を特定する。制御部７０は、ステップＳ３２で位置を特定したら、ステップＳ３４として、第１携帯電話機１０に位置情報を出力し、本処理を終了する。つまり制御部７０は、取得した位置情報を対応付けられている特定の第１携帯電話機１０に出力する。位置情報の出力方法は、特に限定されないが、上述したように電子メールとして出力することが好ましい。
【００７０】
図１２に示す例では、ステップＳ３０で位置情報要求を受信した場合としたが、ステップＳ３０はこれに限定されない。第２携帯電話機５０は、上述したように位置情報を送信するトリガーとなる各種条件を満たしたと判定した場合、図１２の処理を実行すればよい。
【００７１】
次に、図１３を用いて、第１携帯電話機１０で実行する処理について説明する。図１３は、第１携帯電話機で実行される処理の一例を示すフローチャートである。図１３に示す処理は、第１携帯電話機１０の制御部４０が記憶部３４に記憶されたプログラムを処理して各動作を実行することで実現することができる。
【００７２】
制御部４０は、ステップＳ４０として、位置情報要求を対応付けられた第２携帯電話機５０に送信し、ステップＳ４２として、第２携帯電話機５０から送信された位置情報を受信する。つまり、制御部４０は、ステップＳ４２で第２携帯電話機５０の位置情報を取得する。
【００７３】
制御部４０は、ステップＳ４２で位置情報を受信したら、ステップＳ４４として、受信した位置情報に対応するランドマークを補足情報３４ｄから特定する。具体的には、記憶部３４に記憶している補足情報３４ｄのランドマークの登録位置を参照し、受信した位置情報で特定した第２携帯電話機５０の位置の近傍の登録位置のランドマークを特定する。第２携帯電話機５０の位置の近傍とは、当該位置を中心とした予め定められた距離に含まれる範囲である。また、本実施形態の制御部４０は、第２携帯電話機５０の位置を中心とした一定の距離の範囲内にランドマークが複数存在する場合、第２携帯電話機５０の位置に最も近いランドマークを位置情報に対応するランドマークとして特定する。なお、制御部４０は、第２携帯電話機５０の位置を中心とした一定の距離の範囲内にランドマークが複数存在する場合、複数のランドマークを位置情報に対応するランドマークとして特定してもよい。第１携帯電話機１０は、最も近いランドマークが複数ある場合、つまり、第２携帯電話機５０の位置との距離が同じ距離のランドマークが複数ある場合、当該複数のランドマークを位置情報に対応するランドマークとしても、いずれか１つを位置情報に対応するランドマークとしてもよい。ユーザに選択させてもよい。
【００７４】
制御部４０は、ステップＳ４４でランドマークを特定したら、ステップＳ４６として、第２携帯電話機５０の位置と特定したランドマークの位置との相対関係に基づいて地図の範囲、縮尺を特定する。具体的には、第２携帯電話機５０の位置と特定したランドマークの位置との両方が入る範囲を抽出し、抽出した範囲がディスプレイ１２に表示される縮尺を決定する。地図の範囲は、第２携帯電話機５０の位置と特定したランドマークの位置との両方が、表示部２６に表示する表示画面の端部、つまり範囲の端から一定の割合以上離れた位置となるように決定する。また、地図の範囲は、第２携帯電話機５０の位置が表示画面の中心から一定の距離以内、即ち表示画面の中心近傍となるように決定してもよい。
【００７５】
制御部４０は、ステップＳ４６で地図の範囲と縮尺を特定したら、ステップＳ４８として、使用する地図データを抽出する。つまり、制御部４０は、使用する範囲と縮尺に対応する地図の画像データを抽出する。地図データは、記憶部３４に記憶してもよいし、通信部２８を用いた通信でサーバ６等の外部の通信装置から取得してもよい。
【００７６】
制御部４０は、ステップＳ４８で使用する地図データを抽出したら、ステップＳ５０として、地図データ上に第２携帯電話機５０及び特定したランドマークの位置の表示、つまりマークの表示を追加する。制御部４０は、ステップＳ５０で位置の表示を追加したら、ステップＳ５２として表示部２６、本実施形態ではディスプレイ１２に表示させる。
【００７７】
制御部４０は、ステップＳ５２で地図を表示したら、ステップＳ５４として表示終了かを判定する。制御部４０は、ステップＳ５４で表示終了ではない（Ｎｏ）と判定した場合、ステップＳ５４に進み、上記処理を繰り返す。制御部４０は、ステップＳ５４で表示終了（Ｙｅｓ）と判定した場合、本処理を終了する。
【００７８】
第１携帯電話機１０は、第２携帯電話機５０に位置情報の要求を送信して、第２携帯電話機５０の位置情報を取得したが本発明はこれに限定されない。第１携帯電話機１０は、第２携帯電話機５０から送信された位置情報を受信した場合、位置情報の送信処理のトリガーの種類によらず同様の制御を行うことができる。
【００７９】
第１携帯電話機１０は、ディスプレイ１２に表示させる地図の範囲に特定したランドマーク以外のランドマークが含まれる場合、当該ランドマークも表示させてもよい。特定したランドマーク以外のランドマークとしては、例えば２番目に近いランドマークがある。
【００８０】
上記実施形態の第１携帯電話機１０は、第２携帯電話機５０に位置情報に対応するランドマークを特定し、第２携帯電話機５０の位置と、ランドマークの位置に基づいて、地図の範囲及び縮尺を決定することで、第２携帯電話機５０の位置と、ランドマークの位置との相対関係をより明確に表示させることができる。これにより、第１携帯電話機１０は、第２携帯電話機５０の位置をユーザによりわかりやすく表示させることができる。第１携帯電話機１０は、第２携帯電話機５０に位置情報に基づいて、地図の範囲及び縮尺を決定し、当該決定した地図の範囲に含まれるランドマークを特定したランドマークとして、地図上に表示させてもよい。
【００８１】
上述した補足情報３４ｄは、表示部２６に表示する地図が有する登録候補ランドマーク情報の中からユーザによって選択された登録候補ランドマーク情報を、ランドマークとして登録することができる。登録候補ランドマーク情報は、地図上における著名な建物などであり、実物を模倣したアイコン、建物などに関する詳細情報として地図上に表示されるものである。これにより、制御部４０は、地図の登録候補ランドマーク情報を登録した補足情報３４ｄのランドマークを、第２携帯電話機５０の位置情報に対応したランドマークとして特定した場合、第２携帯電話機５０の位置情報とランドマークとの相対関係を示す地図を表示部２６に表示する。つまり、第２携帯電話機５０の位置情報とユーザが知っているランドマークとの相対関係を示す地図を表示部２６に表示することができる。これにより、地図のランドマークの中でユーザが知っているランドマークと第２携帯電話機５０の位置とのクローズアップによって、第２携帯電話機５０の位置を把握しやすくできる。
【００８２】
以上の通信システム１は、第１携帯電話機１０が第２携帯電話機５０と補足情報３４ｄのランドマークとを含む地図を表示部２６に表示する場合について説明したが、これに限定されない。上記実施形態の通信システム１の第１携帯電話機１０は、第２携帯電話機５０の位置と当該位置に対応するランドマークに加え、第１携帯電話機１０の位置を含む範囲の地図を表示させることが好ましい。
【００８３】
図１４及び図１５を用いて、第１携帯電話機１０及ぶ第２携帯電話機５０の位置情報を取得する第１携帯電話機１０で実行する処理について説明する。図１４は、第１携帯電話機１０の表示部に表示される表示画面の一例を示す図である。第１携帯電話機１０は、第１携帯電話機１０及び第２携帯電話機５０の両方の位置情報を取得した場合、図１４に示すように、２台の位置及び補足情報３４ｄのランドマークを示す地図画像１１０をディスプレイ１２に表示させる。地図画像１１０は、第１携帯電話機１０及び第２携帯電話機５０の位置情報とランドマークの位置の全てを含む範囲の地図である。地図画像１１０は、マーク１１２とマーク１１４とマーク１１６とを含む。マーク１１２は、第２携帯電話機５０の位置を示している。マーク１１４は、ランドマークの登録ランドマーク名称及び登録位置を示している。マーク１１６は、第１携帯電話機１０の位置を示している。
【００８４】
通信システム１及び第１携帯電話機１０は、第１携帯電話機１０の位置情報及び第２携帯電話機５０の位置情報を取得した場合、図１４に示すように第１携帯電話機１０の位置情報と第２携帯電話機５０の位置情報と補足情報３４ｄのランドマークの全ての位置を含む地図を表示させる。これにより、通信システム１及び第１携帯電話機１０は、第１携帯電話機１０のユーザに、第１携帯電話機１０の位置と第２携帯電話機５０の位置と補足情報３４ｄのランドマークとの相対関係をよりわかりやすく表示させることができる。これにより、第１携帯電話機１０は、ユーザである保護者に対して、自身の位置と第２携帯電話機５０のユーザである保護の対象者の位置とランドマークの位置との相対関係をわかりやすい状態で示すことができる。ユーザである保護者は、自信の位置と第２携帯電話機５０とランドマークとの相対的な位置関係を１つの地図上で把握できることで、ランドマークの位置から自信と保護の対象者との位置関係を一目しただけで把握することが可能となる。
【００８５】
次に、図１５を用いて、第１携帯電話機１０で実行する処理について説明する。第２携帯電話機５０の処理は、上述した図１２に示す処理と同一であるため、説明を省略する。図１５は、第１携帯電話機で実行される処理の一例を示すフローチャートである。図１５に示す処理は、第１携帯電話機１０の制御部４０が記憶部３４に記憶されたプログラムを処理して各動作を実行することで実現することができる。
【００８６】
制御部４０は、ステップＳ６０として、位置情報要求を対応付けられた第２携帯電話機５０に送信し、ステップＳ６２として、第２携帯電話機５０から送信された位置情報を受信する。つまり、制御部４０は、ステップＳ６２で第２携帯電話機５０の位置情報を取得する。
【００８７】
制御部４０は、ステップＳ６２で位置情報を受信したら、ステップＳ６４として、受信した位置情報に対応するランドマークを補足情報３４ｄから特定する。ランドマークの特定の詳細な処理は、上述した図１３に示すステップＳ４４と同一であるため、説明を省略する。
【００８８】
制御部４０は、ステップＳ６４でランドマークを特定したら、ステップＳ６６として、ＧＰＳ信号を受信し、自端末である第１携帯電話機１０の位置を特定する、つまり位置情報を取得する。制御部４０は、ステップＳ６６で位置情報を取得したら、ステップＳ６８として、第１携帯電話機１０及び第２携帯電話機５０の位置と特定したランドマークの位置との相対関係に基づいて地図の範囲、縮尺を特定する。具体的には、第１携帯電話機１０及び第２携帯電話機５０の位置と特定したランドマークの位置との全てが入る範囲を抽出し、抽出した範囲がディスプレイ１２に表示される縮尺を決定する。地図の範囲は、第１携帯電話機１０及び第２携帯電話機５０の位置と特定したランドマークの位置との全てが、表示部２６に表示する表示画面の端部、つまり範囲の端から一定の割合以上離れた位置となるように決定する。また、地図の範囲は、第１携帯電話機１０、第２携帯電話機５０、ランドマークの何れかの位置が表示画面の中心から一定の距離以内となるように決定してもよい。
【００８９】
制御部４０は、ステップＳ６８で地図の範囲と縮尺を特定したら、ステップＳ７０として、使用する地図データを抽出する。つまり、制御部４０は、使用する範囲と縮尺に対応する地図の画像データを抽出する。地図データは、記憶部３８に記憶してもよいし、通信部２８を用いた通信でサーバ６等の外部の通信装置から取得してもよい。
【００９０】
制御部４０は、ステップＳ７０で使用する地図データを抽出したら、ステップＳ７２として、地図データ上に第１携帯電話器１０、第２携帯電話機５０及び特定したランドマークの位置の表示、つまりマークの表示を追加する。制御部４０は、ステップＳ７２で位置の表示を追加したら、ステップＳ７４として表示部２６、本実施形態ではディスプレイ１２に表示させる。
【００９１】
制御部４０は、ステップＳ７４で地図を表示したら、ステップＳ７６として表示終了かを判定する。制御部４０は、ステップＳ７６で表示終了ではない（Ｎｏ）と判定した場合、ステップＳ７６に進み、上記処理を繰り返す。制御部４０は、ステップＳ７６で表示終了（Ｙｅｓ）と判定した場合、本処理を終了する。
【００９２】
第１携帯電話機１０は、第２携帯電話機５０に位置情報の要求を送信して、第２携帯電話機５０の位置情報を取得したが本発明はこれに限定されない。第１携帯電話機１０は、第２携帯電話機５０から送信された位置情報を受信した場合、位置情報の送信処理のトリガーの種類によらず同様の制御を行うことができる。図１５のステップＳ６４とステップＳ６６の処理は順番が逆でもよい。つまり、第１携帯電話機１０は、自機の位置情報を取得した後、補足情報３４ｄのランドマークを特定してもよい。図１５のステップＳ６２とステップＳ６６の処理は順番が逆でもよい。つまり、第１携帯電話機１０は、自機の位置情報を取得した後、第２携帯電話機５０の位置情報を取得してもよい。
【００９３】
本実施形態の第１携帯電話機１０は、第２携帯電話機５０の位置に基づいて補足情報３４ｄのランドマークを特定する場合について説明したが、これに限定するものではない。例えば、第１携帯電話機１０は、第１携帯電話機１０及び第２携帯電話機５０の相対関係に基づいて補足情報３４ｄを特定してもよい。具体的には、第１携帯電話機１０の位置と第２携帯電話機５０の位置とに間に位置するランドマークを特定してもよい。
【００９４】
以上の通信システム１は、第１携帯電話機１０が第２携帯電話機５０から取得した位置情報と、取得した位置情報に対応する複数のランドマークとを１つの地図上に表示してもよい。
【００９５】
上述した実施形態の通信システム１は、補足情報３４ｄを第１携帯電話機１０の記憶部３４に記憶する場合について説明したが、これに限定されない。通信システム１は、第１携帯電話機１０以外の通信装置に補足情報３４ｄを記憶させてもよい。第１携帯電話機１０以外の通信装置としては、例えば、サーバ６、第２携帯電話機５０等がある。
【００９６】
第１携帯電話機１０は、第１携帯電話機１０以外の通信装置に補足情報３４ｄが記憶されている場合、第１携帯電話機１０以外の通信装置、つまり外部の記憶装置から通信を介してランドマークの情報を取得する。この場合、第１携帯電話機１０は、地図の範囲を決定し、決定した範囲を外部の記憶装置に送信し、当該範囲に含まれるランドマークの情報を取得する。他の例としては、第１携帯電話機１０は、第２携帯電話機５０の位置情報とともに補足情報３４ｄから抽出した一定範囲のランドマークの情報を取得し、決定した地図の範囲に基づいて表示させるランドマークを決定してもよい。
【００９７】
上述した実施形態の通信システム１は、第１携帯電話機１０で第２携帯電話機５０と補足情報３４ｄのランドマークとの位置の表示が追加された地図データを作成した場合について説明したが、これに限定されない。例えば、第１携帯電話機１０は、第２携帯電話機５０とランドマークとの位置が表示された地図データをサーバ６から取得してもよい。この場合、第１携帯電話機１０は、第２携帯電話機５０の位置情報と、当該位置情報に対応した補足情報３４ｄのランドマークと、当該位置情報及び当該ランドマークを含む地図データの取得要求をサーバ６に送信する。サーバ６は、第１携帯電話機１０から送信された地図データの取得要求、第２携帯電話機５０の位置情報及びランドマークを受信すると、第２携帯電話機５０とランドマークとの位置情報を含む地図データを作成する。サーバ６は、地図データを含む電子メールを第１携帯電話機１０に送信する。第１携帯電話機１０は、サーバ６から送信された地図データを含む電子メールを受信すると、当該地図データをディスプレイ２Ａに表示する。ここで、サーバ６は、地図データを含む電子メールを送信してもよいが、地図データのリンク先を示すアドレスを添付した電子メールを送信してもよい。第１携帯電話機１０は、地図データのリンク先を示すアドレスを添付した電子メールを受信した場合、当該アドレスにアクセスすることで第２携帯電話機５０とランドマークとの位置情報を含む地図データを取得することができる。
【００９８】
通信システム１は、このように、サーバ６で第２携帯電話機５０と補足情報３４ｄのランドマークとの位置の表示が追加された地図データを作成することで、第１携帯電話機１０で実行する処理を少なくすることができる。つまり、第１携帯電話機１０は、取得した位置情報、当該位置情報に対応したランドマーク及び当該位置情報を含む地図データの取得要求を送信するのみで、第２携帯電話機５０とランドマークとの位置の表示が追加された地図データを取得することができる。
【００９９】
通信システム１は、サーバ６に補足情報３４ｄを記憶させ、サーバ６で第２携帯電話機５０とランドマークとの位置が表示された地図データを作成してもよい。この場合、サーバ６は、第１携帯電話機１０に対応した補足情報３４ｄを記憶する。第１携帯電話機１０は、第２携帯電話機５０の位置情報と、当該位置情報及びランドマークを含む地図データとの取得要求と、をサーバ６に送信する。サーバ６は、第１携帯電話機１０から送信された第２携帯電話機５０の位置情報及び地図データの取得要求を受信すると、当該第１携帯電話機１０に対応した補足情報３４ｄを特定する。サーバ６は、第２携帯電話機５０の位置情報に基づいて、特定した補足情報３４ｄのランドマークを特定する。サーバ６は、第２携帯電話機５０と特定したランドマークとの位置情報を含む地図データを作成する。サーバ６は、地図データを含む電子メールを第１携帯電話機１０に送信する。第１携帯電話機１０は、サーバ６から送信された地図データを含む電子メールを受信すると、当該地図データをディスプレイ２Ａに表示する。ここで、サーバ６は、地図データを含む電子メールを送信してもよいが、上述したように地図データのリンク先を示すアドレスを添付した電子メールを送信してもよい。以上により、第１携帯電話機１０は、取得した位置情報及び当該位置情報を含む地図データの取得要求を送信するのみで、第２携帯電話機５０と補足情報３４ｄのランドマークとの位置の表示が追加された地図データを取得することができる。
【０１００】
通信システム１は、第１携帯電話機１０と第２携帯電話機５０で送受信される情報をサーバ６で監視し、情報を取得、加工してもよい。サーバ６は、第２携帯電話機５０から第１携帯電話機１０に送信される情報を解析し、第２携帯電話機５０の位置情報を取得してもよい。この場合、第１携帯電話機１０は、第２携帯電話機５０の位置情報とランドマークとを含む地図データの取得要求のみを送信することで、地図データを取得することができる。また、サーバ６は、第２携帯電話機５０から送信される位置情報を含む電子メールに基づいて第２携帯電話機５０の位置情報とランドマークとを含む地図データを作成し、当該電子メールに作成した地図データのリンク先を示すアドレスを添付し、第１携帯電話機１０に送信してもよい。つまり、通信システム１は、第２携帯電話機５０から第１携帯電話機１０に送信される位置情報を含む電子メールに作成した地図データのリンク先を示すアドレスを添付してもよい。これにより、第１携帯電話機１０のユーザは、リンク先の地図データを取得することで、当該地図を表示部に表示させることができる。
【０１０１】
また、上記実施形態では、第２携帯電話機５０が自機の位置情報を送信したが、これに限定されない。第１携帯電話機１０は、第２携帯電話機５０で送信された位置情報を含む情報を受信した場合、当該位置情報を含む地図データを表示すればよい。すなわち、第１携帯電話機１０は、第２携帯電話機５０で送信された当該第２携帯電話機５０以外の携帯電話機の位置情報を受信した場合も、同様に当該位置情報を含む地図データを表示することができる。
【０１０２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１０３】
上記の実施形態では、第１携帯電話機１０として折り畳み式の携帯電話機を一例として説明した。添付の請求項に係る第１通信装置は、携帯電話機以外の電子メールの送受信機能を備えた各種通信機器であってもよい。通信機器は、例えばスマートフォン、タブレット、パソコン、デジタルカメラ、メディアプレイヤ、電子書籍リーダ、ナビゲータ、テレビジョン受信機、及びゲーム機である。
【符号の説明】
【０１０４】
１  通信システム
１０、１０ａ、１０ｂ  第１携帯電話機
１０Ｃ  筐体
２１、５４  マイク
２２、５５  スピーカ
２３、５６  レシーバ
２４、５３  操作部
２５  加速度センサ
２６、５７  表示部
２７  カメラ
２８、５８  通信部
３０、６０  音声処理部
３２、６４  ＧＰＳ通信部
３４、６８  記憶部
４０、７０  制御部
５０、５０ａ、５０ｂ  第２携帯電話機
６１  スイッチ部材
６２  スイッチ位置検出部
【図１】
0005851327.tif 000002
【図２】
0005851327.tif 000003
【図３】
0005851327.tif 000004
【図４】
0005851327.tif 000005
【図５】
0005851327.tif 000006
【図６】
0005851327.tif 000007
【図７】
0005851327.tif 000008
【図８】
0005851327.tif 000009
【図９】
0005851327.tif 000010
【図１０】
0005851327.tif 000011
【図１１】
0005851327.tif 000012
【図１２】
0005851327.tif 000013
【図１３】
0005851327.tif 000014
【図１４】
0005851327.tif 000015
【図１５】
0005851327.tif 000016